(57)【特許請求の範囲】
【請求項１】
洋風便器の上面に設置される本体と、該本体から側方に張り出す袖部と、該袖部の上面に設けられた操作部と、該操作部を操作することによって温水噴出を行う洗浄ノズルとを有する温水洗浄装置であって、
袖部の上面のうち少なくとも操作部及びその周囲を洋風便器の幅方向に向けて傾斜させて流水勾配をつけた温水洗浄装置において、
前記操作部の近傍に前記幅方向において略水平な面を設け、この面に操作部の内容を示す文字を配置したことを特徴とする温水洗浄装置。
【請求項２】
洋風便器の上面に設置される本体と、該本体から側方に張り出す袖部と、該袖部の上面に設けられた操作部と、該操作部を操作することによって温水噴出を行う洗浄ノズルとを有する温水洗浄装置であって、
袖部の上面のうち少なくとも操作部及びその周囲を洋風便器の幅方向に向けて傾斜させて流水勾配をつけた温水洗浄装置において、
袖部の側外方が高位となり内方に向って下り勾配となるように前記傾斜面が設けられていることを特徴とする温水洗浄装置。
【発明の詳細な説明】
【０００１】
【発明の属する技術分野】
本発明は、洋風便器に設置され、人体の臀部に向ってノズルから温水を噴出させて洗浄を行う温水洗浄装置（衛生洗浄装置、局部洗浄装置とも称されることがある。）に関する。詳しくは袖部上面の構成を改良した温水洗浄装置に関する。
【０００２】
【従来の技術】
温水洗浄装置は、周知の通り温水タンクあるいは給湯管などの温水源からの温水をポンプ又は給湯水圧を利用して洗浄ノズルに導き、該洗浄ノズル先端の噴出口から上方ないし斜め上方に噴出させるよう構成されている。
【０００３】
従来の温水洗浄装置の一例について図７，８を参照して説明する。この温水洗浄装置１０は、洋風便器１１の便鉢の後部上面に設置される本体１２と、本体１２から張り出す袖部１３とを有し、この袖部１３の上面にスイッチパネル１４が設けられている。
【０００４】
本体１２は、洗浄ノズル１５，１６及び温風乾燥ファン（図示略）等を有している。また、この本体１２には、便座１７、便蓋１８が上下方向に回動可能に取り付けられている。１９は洋風便器１１の最後部上面に設置されたロータンクを示す。
【０００５】
スイッチパネル１４には、肛門洗浄、ビデ洗浄、温風乾燥等の作動をストップさせるストップボタン２０、肛門洗浄用操作ボタン２１、ビデ洗浄用操作ボタン２２、温風を吹き出させるドライボタン２３、洗浄の広がりを調整するためのワイド洗浄入／切ボタン２４、洗浄位置前進ボタン２５、その後退ボタン２６、洗浄強さを調整するダイヤル２８、便座の温度を調整するための便座ボタン２７、シャワー等の水温を調整する温水ボタン３０等が配置されている。各ボタンの下側にそれぞれのスイッチが設けられている（図示略）。
【０００６】
図７，８の通り、従来の温水洗浄装置にあっては、袖部１３の上面のスイッチパネル１４は平面よりなり、洋風便器１１の左右方向（幅方向）においては水平となっている。なお、図７の温水洗浄装置では、スイッチパネル１４は洋風便器１１の前方に向っては微かに下り勾配となっているが、前後方向にも実質的に水平となっている機種のものも多く市販されている。
【０００７】
【発明が解決しようとする課題】
洋風便器のロータンク１９の上部に手洗鉢を設けることがあるが、この手洗鉢からはねた水が袖部のスイッチパネル１４の上面に掛かることがある。また、トイレルーム内の花瓶に水を注いだりするときにもスイッチパネル１４の上面に水が掛かることがある。
【０００８】
上記従来のようにスイッチパネル１４が前後左右に実質的に水平であったり、あるいは前方に微かに下り勾配となる程度の傾斜面である場合、スイッチパネル上面に掛かった水がスイッチパネル上面において乾固して、拭き取りにくい水アカやカルキ成分がスイッチパネル上面に付着することがある。とくに、この水アカやカルキ成分がボタン上に付いていると、ボタンが汚く見え、ボタン操作を逡巡することがある。
【０００９】
本発明は、このような袖部上のスイッチパネルへの汚れ付着を防止することができる温水洗浄装置を提供することを目的とする。
【００１０】
【課題を解決するための手段】
本発明（請求項１）の温水洗浄装置は、洋風便器の上面に設置される本体と、該本体から側方に張り出す袖部と、該袖部の上面に設けられた操作部と、該操作部を操作することによって温水噴出を行う洗浄ノズルとを有する温水洗浄装置であって、袖部の上面のうち少なくとも操作部及びその周囲を洋風便器の幅方向に向けて傾斜させて流水勾配をつけた温水洗浄装置において、前記操作部の近傍に前記幅方向において略水平な面を設け、この面に操作部の内容を示す文字を配置したことを特徴とするものである。
【００１１】
本発明（請求項２）の温水洗浄装置は、洋風便器の上面に設置される本体と、該本体から側方に張り出す袖部と、該袖部の上面に設けられた操作部と、該操作部を操作することによって温水噴出を行う洗浄ノズルとを有する温水洗浄装置であって、袖部の上面のうち少なくとも操作部及びその周囲を洋風便器の幅方向に向けて傾斜させて流水勾配をつけた温水洗浄装置において、袖部の側外方が高位となり内方に向って下り勾配となるように前記傾斜面が設けられていることを特徴とするものである。
【００１２】
この傾斜角度は水平方向に対し５〜４５°特に２０〜３０°であることが好ましい。
【００１３】
かかる温水洗浄装置にあっては、操作部付近に掛った水が袖部の左右方向に流れ落ちるため、操作部付近で乾固することがなく、操作部への水アカやカルキ成分の付着が防止される。
【００１４】
なお、本発明（請求項１）では、操作部の近傍に洋風便器の幅方向において略水平な面を設け、この面に操作部の内容を示す文字を配置している。このように文字を略水平な面に設けた場合、袖部の鉛直上方から文字を読み取り易くなる。
【００１５】
【発明の実施の形態】
以下、図面を参照して実施の形態について説明する。図１は実施の形態に係る温水洗浄装置１０Ｂの側面図、図２は同正面図、図３はスイッチパネルの平面図である。
【００１６】
この温水洗浄装置１０Ｂは、洋風便器の後部上面に設置される本体１２Ｂと、該本体１２Ｂから側方に張り出す袖部１３Ｂと、該袖部１３Ｂの上面に設けられたスイッチパネル１４Ｂとを有しており、本体１２Ｂには便座１７及び便蓋１８が枢着されている。
【００１７】
該スイッチパネル１４Ｂには、肛門洗浄、ビデ洗浄、温風乾燥等の作動をストップさせるストップボタン２０、肛門洗浄用操作ボタン２１、ビデ洗浄用操作ボタン２２、洗浄の広がりを調整するためのワイド洗浄入／切ボタン２４、洗浄位置前進ボタン２５、その後退ボタン２６、便座の温度を調整するための便座ボタン２７、シャワー等の水温を調整する温水ボタン３０が配置されている。各ボタンの下側にそれぞれのスイッチが設けられている（図示略）。
【００１８】
図１の温水洗浄装置１０Ｂでは、このスイッチパネル１４Ｂに洗浄強さを調整するダイヤル２８は袖部１３の前部に設けられている。また、図１の温水洗浄装置１０Ｂでは、温風を吹き出すためのドライボタン２３がスイッチパネル１４Ｂに設けられている。図３では、各ボタンの機能を表示するための文字「止」、「おしり」、「ビデ」、「乾燥」、「便座」及び「温水」がスイッチパネル１４Ｂに印刷等により設けられている。
【００１９】
図１〜３では、袖部１３Ｂの上面の全体が洋風便器に向う方向（洋風便器の左右幅方向において洋風便器の中心に向う方向）に約３０°程度の下り傾斜となっている。また、図１〜３では、袖部１３Ｂの上面は全体として洋風便器の前方に向って約２０°の下り傾斜となっている。
【００２０】
このように袖部１３Ｂの上面に流水勾配をつけることにより、袖部１３Ｂの上面に水が掛っても、この水がスムーズに流れ落ち、スイッチパネル１４Ｂの上面にて水が乾固することがなく、水アカ等の汚れやカルキ成分等が固着することがない。
【００２１】
図４，５，６はそれぞれ本発明の異なる実施の形態に係る温水洗浄装置の袖部１４Ｃ，１４Ｄ，１４Ｅの構成を示す正面図である。これらの袖部１４Ｃ，１４Ｄ，１４Ｅは、その上面に洋風便器の左又は右方向に向って下り傾斜となる傾斜面１４ａと略水平な水平面１４ｂとが設けられている。なお、この水平面１４ｂの勾配は１０°以下とくに５°以下であることが好ましい。
【００２２】
図４の袖部１４Ｃでは、傾斜面１４ａは側外方に配置され、内方（洋風便器の左右幅方向において中心を向う方向）に向って下り傾斜となっている。水平面１４ｂは袖部１４Ｃの内縁側に配置されている。
【００２３】
図５の袖部１４Ｄでは、傾斜面１４ａは内側に配置され、側外方に向って下り傾斜となっている。水平面１４ｂは袖部１４Ｄの外縁側に配置されている。
【００２４】
図６の袖部１４Ｅでは、その左右幅方向の中央が最も高くなっており、そこから左右方向にそれぞれ下り傾斜の傾斜面１４ａが設けられ、袖部１４Ｅの内縁側及び外縁側のそれぞれに水平面１４ｂが設けられている。
【００２５】
これらの袖部１４Ｃ，１４Ｄ，１４Ｅにあっては、傾斜面１４ａにボタン１４ｃが設けられ、水平面１４ｂにボタンの機能を示す文字が印刷等により設けられている。
【００２６】
このような袖部１４Ｃ，１４Ｄ，１４Ｅを有する温水洗浄装置においても、袖部１４Ｃ，１４Ｄ，１４Ｅの上面に掛った水が傾斜面１４ａに沿って流れ落ちるため、ボタン１４ｃやその周囲に水アカやカルキ成分等の汚れがこびりつくことがない。また、文字を水平面１４ｂに設けているため、袖部の上方から文字を読み取り易い。
【００２７】
なお、図４の袖部１４Ｃにあっては、袖部１４Ｃの側外面に人差指、中指、薬指及び小指Ｆをかけ、傾斜面１４ａ上のボタン１４ｃに親指Ｔをかけて該ボタン１４ｃを押圧することが容易にできる。このように指Ｆを袖部１４Ｃの側外面に添えるように当てることにより、腕先や上半身を安定させることができ、目的とするボタンを指Ｆと親指Ｔとで挟みつけるようにして確実に押すことが容易となる。
【００２８】
【発明の効果】
以上の通り、本発明の温水洗浄装置は、ボタン等の操作部やその周囲に汚れが付きにくい。また、本発明においては、文字を袖部上面の水平面に設けることにより文字を読み取り易くすることもできる。さらに、本発明においては、腕先や上半身を安定させて操作部を容易に操作できるよう構成することも可能である。
【図面の簡単な説明】
【図１】  本発明の実施の形態に係る温水洗浄装置の側面図である。
【図２】  図１の温水洗浄装置の正面図である。
【図３】  図１の温水洗浄装置のスイッチパネルの平面図である。
【図４】  実施の形態に係る袖部の正面図である。
【図５】  実施の形態に係る袖部の正面図である。
【図６】  実施の形態に係る袖部の正面図である。
【図７】  従来の温水洗浄装置を備えた洋風便器の斜視図である。
【図８】  図７の温水洗浄装置のスイッチパネルの平面図である。
【符号の説明】
１０，１０Ｂ  温水洗浄装置
１１  洋風便器
１２，１２Ｂ  本体
１３，１３Ｂ，１４Ｃ，１４Ｄ，１４Ｅ  袖部
１４，１４Ｂ  スイッチパネル
１４ａ  傾斜面
１４ｂ  水平面
１４ｃ  ボタン
２０  ストップスイッチ
２８  ダイヤル
【図１】
0003707313.tif 000002
【図２】
0003707313.tif 000003
【図３】
0003707313.tif 000004
【図４】
0003707313.tif 000005
【図５】
0003707313.tif 000006
【図６】
0003707313.tif 000007
【図７】
0003707313.tif 000008
【図８】
0003707313.tif 000009